(57)【要約】【課題】手摺りを壁の入隅部分に対して取り付ける場合に、取付けビスで柱の中心を確実に捉えることで、柱に割れを生じさせずに柱へのねじ込み量を確保して、安全な固定強度を得ることができ、安価で美しく仕上がり施工もしやすく、リフォームに適した手摺り用ブラケットを提供する。【解決手段】弧状に屈曲するブラケット本体１２の弧状屈曲部分の外径側に設けた開口１３をカバー１４で閉鎖するようにし、前記ブラケット本体１２の一方端部に壁面への取付け座１５と他端に手摺り嵌合部１６を設け、前記取付け座１５に、建物の柱に向けてねじ込む取付けビス１７の誘導孔１８を、この取り付け座１５の内面側からブラケット本体１２の弧状屈曲部分の外径側に向けて傾斜するように設ける。【選択図】図４
2006070611.tif 000002
【特許請求の範囲】
【請求項１】
内部中空で弧状に屈曲するブラケット本体の弧状屈曲部分の外径側に開口を設け、この開口をカバーで閉鎖するようにし、前記ブラケット本体の一方端部に壁面への取付け座と他端に手摺り嵌合部を設け、前記取付け座にはブラケット本体の弧状屈曲部分の外径側となる外側寄りの位置に、建物の柱に向けてねじ込む取付けビスの誘導孔を、この取り付け座の内面側からブラケット本体の弧状屈曲部分の外径側に向けて傾斜するように設けた手摺り用ブラケット。
【請求項２】
上記取付けビスの誘導孔を取付け座に複数設けると共に、この取付け座の複数箇所の位置に、壁面への取付けビスの挿通孔を取付け座に対して直角に貫通するよう設けた請求項１に記載の手摺り用ブラケット。
【請求項３】
上記ブラケット本体の手摺り嵌合部を形成する筒壁に、この筒壁内に嵌挿した手摺りに筒壁の半径方向の外側からねじ込む手摺り固定ビスの挿通孔を設け、ブラケット本体の開口を閉鎖するよう取付けるカバーの一部に、前記手摺り固定ビスの頭部隠蔽部を設けた請求項１又は２に記載の手摺り用ブラケット。
【発明の詳細な説明】
【技術分野】
【０００１】
この発明は、壁面に手摺りを取付けるための手摺り用ブラケット、更に詳しくは、壁の入隅部分に固定する場合に、取り付けビスが柱の中心を確実に捉えることで、確実な取り付け強度を確保することができる手摺り用ブラケットに関する。
【背景技術】
【０００２】
高齢化社会の到来と共に、住宅の便所や廊下等に手摺りを必要とする方が年々増加している。
【０００３】
手摺りの重要性は、その方の住宅での生活に大きく影響してくる。即ち、ＡＤＬ（日常生活動作）の向上につながるものだけに、使用対象者に合わせてその取付けが望まれている。
【０００４】
手摺りの取付けに用いるブラケットは、安全性を確保するために、壁に対する取付け位置の制約が多い。
【０００５】
もちろん、新築工事であれば、事前に取付け位置に補強をすることで安全を確保することが可能であるが、リフォーム等の後付けの場合は、下地の補強をしなくてはならないというケースが多くあり、そのため、工事に手間がかかり、材料が多く必要で工事費用も嵩むことになり、その上、下地材が目に付き外観的にも悪くなる。
【０００６】
特に、壁の入隅部分にブラケットを固定しようとした場合、入隅のコーナ部分と反対側の位置に柱が存在し、この柱に取付けビスをねじ込むことによって取付けることが望ましく、このため、柱に対して斜めにねじ込まなければならないことになる。
【０００７】
従来、柱に対して取付けビスを斜めにねじ込む方法としては、図６に示すように、ブラケット１の端部に設けたフランジ２に取付けビス３の誘導孔４を設け、この誘導孔４を、取り付けビス３の頭部が収まる凹部４ａと、取付け面側で大径となるテーパ孔４ｂとで形成し、ブラケット１のフランジ２を壁Ａの入隅に当接させた状態で、テーパ孔４ｂのテーパ面に沿って取付けビス３を沿わせながら柱Ｂに対してねじ込むことにより、固定するようにしている（特許文献１参照）。
【特許文献１】特開２００１−９０７１６号公報
【発明の開示】
【発明が解決しようとする課題】
【０００８】
ところで、上記した従来の取付けビス３を斜めにねじ込む方法では、フランジ２に設けた誘導孔４がフランジ２の外径よりも内方にあるため、ブラケット１のフランジ２を壁Ａの入隅に当接させた状態で、テーパ孔４ｂは柱Ｂの角から離れた位置となり、取付けビス３を斜めにねじ込んだとしても柱Ｂの端にしかねじ込むことができず、このため、柱Ｂへのねじ込み量が少なく、柱Ｂに割れが生じる可能性があり、安全を確保することができる固定強度を得るのが困難であるという問題がある。
【０００９】
また、フランジ２のように、外部に露出した部分で取付けビス３を斜めにねじ込むと、取付けビス３の頭部が凹部４ａから外部に飛び出した状態となり、指を引っ掛けて怪我をする危険性があるので、安全を要求される手摺りの取付けには不向きである。
【００１０】
そこで、この発明の課題は、壁の入隅部分に対して取り付ける場合に、取付けビスで柱の中心を確実に捉えることで、柱に割れを生じさせずに柱へのねじ込み量を確保して、安全な固定強度を得ることができ、しかも、安価で美しく仕上がり施工もしやすく、リフォームに適した手摺り用ブラケットを提供することにある。
【課題を解決するための手段】
【００１１】
上記のような課題を解決するため、請求項１の発明は、内部中空で弧状に屈曲するブラケット本体の弧状屈曲部分の外径側に開口を設け、この開口をカバーで閉鎖するようにし、前記ブラケット本体の一方端部に壁面への取付け座と他端に手摺り嵌合部を設け、前記取付け座にはブラケット本体の弧状屈曲部分の外径側となる外側寄りの位置に、建物の柱に向けてねじ込む取付けビスの誘導孔を、この取り付け座の内面側からブラケット本体の弧状屈曲部分の外径側に向けて傾斜するように設けた構成を採用したものである。
【００１２】
請求項２の発明は、請求項１の発明において、上記取付けビスの誘導孔を取付け座に複数設けると共に、この取付け座の複数箇所の位置に、壁面への取付けビスの挿通孔を取付け座に対して直角に貫通するよう設けた構成を採用したものである。
【００１３】
請求項３の発明は、請求項１又は２の発明において、上記ブラケット本体の手摺り嵌合部を形成する筒壁に、この筒壁内に嵌挿した手摺りに筒壁の半径方向の外側からねじ込む手摺り固定ビスの挿通孔を設け、ブラケット本体の開口を閉鎖するよう取付けるカバーの一部に、前記手摺り固定ビスの頭部隠蔽部を設けた構成を採用したものである。
【００１４】
ここで、ブラケット本体は金属製の円筒を９０°の弧状に屈曲させ、両端部を残して弧状屈曲部分の外径側略半分を切取ることによって開口を形成し、一方端部の内側に取り付け座を設け、他方端部の手摺り嵌合部の内側に手摺り当接壁を設けた構造になっている。  上記取付けビスの誘導孔は、両側に並列して２個設けられ、固定状態でブラケットに取付けビスを支点とする回転が生じることのないようになっている。
【００１５】
また、手摺り嵌合部の筒壁は、皿孔となる挿通孔を設ける部分が内側に一段凹入しており、カバーの頭部隠蔽部がこの凹入部分に嵌り合うように、カバーの端部から突出するように形成されている。
【発明の効果】
【００１６】
この発明によると、ブラケット本体の一方端部に設けた壁面への取付け座に、建物の柱に向けてねじ込む取付けビスの誘導孔を、この取り付け座の内面側からブラケット本体の弧状屈曲部分の外径側に向けて傾斜するように設けたので、ブラケット本体を壁の入隅部分に配置すると、取付けビスの誘導孔が壁のコーナに位置することになり、この誘導孔に取付けビスを挿入してねじ込むだけで、柱の中心部に向けて取付けビスを確実に止めることができ、柱に割れを生じさせずに柱へのねじ込み量を確保して、手摺りの安全な固定強度を得ることができる。
【００１７】
このように、壁の入隅におけるブラケットの固定において、取付けビスが柱の中心部を確実にとらえるので、壁の裏面側に下地材等を打たずにすみ、施工性の向上と施工コストの低減が可能になり、リフォーム等における手摺りの後付け施工に適している。
【００１８】
また、柱にねじ込む取付けビスは、ブラケット本体の内部に納まるので、外部から見えることがなく、外観が美しく仕上がると共に、ビスの頭による指先の怪我の発生もなくなる。
【００１９】
更に、取付けビスの誘導孔を取付け座に複数設けると、固定状態でブラケットに取付けビスを支点とする回転が生じることがなく、強固な固定状態が得られることになる。
【００２０】
また、ブラケット本体の手摺り嵌合部の筒壁に、筒壁の半径方向の外側からねじ込んだ手摺り固定ビスで手摺りを固定すると共に、手摺り固定ビスの頭部をカバーの隠蔽部で覆うようにしたので、手摺りの長さに対するアジャストが可能になって施工性が向上し、しかも、外観が美しく仕上がると共に、固定ビスの頭による指先の怪我の発生もなくなる。
【発明を実施するための最良の形態】
【００２１】
以下、この発明の実施の形態を添付図面に基づいて説明する。
【００２２】
図示のように、ブラケット１１は、内部中空で弧状に屈曲するブラケット本体１２の弧状屈曲部分の外径側に開口１３を設け、この開口１３を別体のカバー１４で閉鎖するようにし、前記ブラケット本体１２の一方端部に壁Ａへの取付け座１５と他端に手摺り嵌合部１６が設けられている。
【００２３】
前記ブラケット本体１２は、材料に金属等を用い、丁度円形パイプを弧状に９０°の角度で屈曲させ、弧状屈曲部分の外径側に、断面の略半分の幅で取付け座１５と手摺り嵌合部１６間の長さの開口１３を設けた構造を有し、壁Ａへの固定側となる一方端部の内部に壁Ａへの取付け座１５が設けられている。
【００２４】
この取付け座１５には、ブラケット本体１２の弧状屈曲部分の外径側となる外側寄りで両側二箇所の位置に、建物の柱Ｂに向けてねじ込む取付けビス１７の誘導孔１８が、この取り付け座１５の内面側からブラケット本体１２の弧状屈曲部分の外径側に向けて傾斜するように設けられ、例えば、この誘導孔１８の角度は、取付け座１５に対して４５°の角度で傾斜している。
【００２５】
また、取付け座１５には、壁Ａへの取付けビスの挿通孔１９が取付け座１５に対して直角に貫通するよう設けられ、この挿通孔１９は誘導孔１８間に一つと、誘導孔１８と反対側の位置に三つが並ぶように設けられ、壁Ａの内側にある補強棧等の条件によって、三つ並びの両端の挿通孔１９を使うか中心線上にある二個の挿通孔１９を使うようにする。
【００２６】
上記ブラケット本体１２の他端に設けた手摺り嵌合部１６は、この嵌合部１６を形成する筒壁２０の内部に手摺りＣの当接壁２１を設けて形成され、前記筒壁２０にはその内部に嵌挿した手摺りＣに筒壁２０の半径方向の外側からねじ込む手摺り固定ビス２２の挿通孔２３が皿孔状に設けられ、この筒壁２０の挿通孔２３を設けた部分は内側に向けた凹入部２４になっている。
【００２７】
上記ブラケット本体１２の開口１３を閉鎖するカバー１４は、合成樹脂等を用い、周囲が開口１３に適合すると共に、ブラケット本体１２の弧状屈曲部分の外径側の形状を補足する円弧状に形成され、この開口１３とカバー１４の両側には一対の係止部２５が設けられ、ブラケット本体１２の開口１３に対してカバー１４を押し込むようにして嵌め合わせることにより、ブラケット本体１２にカバー１４を固定することができる。
【００２８】
上記カバー１４の手摺り嵌合部１６に臨む端部には、凹入部２４に嵌り合う頭部隠蔽部２６が端部から突出するように形成されている。
【００２９】
なお、図示例では、手摺り嵌合部１６の当接壁２１に係止孔２９とカバー１４の端部に係止孔２９への係止爪３０を設け、この部分でもブラケット本体１２にカバー１４を固定するようにしている。
【００３０】
この発明のブラケットは、上記のような構成であり、壁Ａの入隅部分に手摺りを取付ける場合は、図５のように、壁Ａの入隅部分にブラケット本体１２の壁Ａへの固定側となる一方端部を壁Ａに当接させ、その内部に位置する取付け座１５に設けた両側の誘導孔１８に取付けビス１７を挿入し、この取付けビス１７を壁Ａから柱Ｂに向けてねじ込む。
【００３１】
上記誘導孔１８は４５°の角度で傾斜し、取付けビス１７の外径を誘導するストレートの孔になっているので、この誘導孔１８によって、ねじ込んでいく取付けビス１７を確実に傾斜状態に誘導することができる。
【００３２】
また、図５のように、壁Ａの入隅部分に位置させたブラケット本体１２の誘導孔１８は、入隅のコーナ部分に位置することになるので、取付けビス１７を柱Ｂの中心部に向けてねじ込むことができ、これによって、柱Ｂに割れを生じさせずに柱Ｂへのねじ込み量を確保して、手摺りの安全な固定強度を得ることができる。
【００３３】
このようにして、壁Ａの入隅部分にブラケット本体１２を固定すると、ブラケット本体１２の手摺り嵌合部１６に手摺りＣを嵌合し、筒壁２０の半径方向の外側からねじ込んだ手摺り固定ビス２２で手摺りＣを固定し、この後、開口１３にカバー１４を取付けて手摺り固定ビス２２の頭部をカバー１４の隠蔽部２６で覆うようにすれば、手摺り取付け作業が完了する。
【００３４】
なお、手摺りＣの他端側も壁に固定した同様のブラケット１１で支持することにより固定するものであり、壁Ａに対するブラケット本体１２の固定は、取付け座１５に設けた挿通孔１９からビスを壁にねじ込めばよい。
【００３５】
上記のように、壁Ａに固定したブラケット１１は、柱Ｂにねじ込む取付けビス１７がブラケット本体１２の内部に納まるので、開口１３にカバー１４を取付ければ外部から見えることがなく、また、手摺り固定ビス２２の頭部をカバー１４の隠蔽部２６で覆うので、外観が美しく仕上がると共に、ビス１７や２２の頭による指先の怪我の発生もなくなる。
【図面の簡単な説明】
【００３６】
【図１】この発明のブラケットを示す平面図
【図２】（ａ）は図１の矢印ａ−ａの縦断面図、（ｂ）は図１の矢印ｂ−ｂの縦断面図、（ｃ）は図１の矢印ｃ−ｃの縦断面図
【図３】この発明のブラケットを示す分解斜視図
【図４】（ａ）はこの発明のブラケットを示す組み立て状態の横断平面図、（ｂ）はブラケット本体の取付け座に設けた誘導孔の部分を示す横断平面図
【図５】この発明のブラケットを用いた壁入隅部分への手摺りの取付け状態を示す横断平面図
【図６】従来のブラケットを用いた壁入隅部分への手摺りの取付け状態を示す横断平面図
【符号の説明】
【００３７】
１１      ブラケット
１２      ブラケット本体
１３      開口
１４      カバー
１５      取付け座
１６      手摺り嵌合部
１７      取付けビス
１８      誘導孔
１９      挿通孔
２０      筒壁
２１      当接壁
２２      手摺り固定ビス
２３      挿通孔
２４      凹入部
２５      係止部
２６      頭部隠蔽部
２９      係止孔
３０      係止爪
【図１】
2006070611.tif 000003
【図２】
2006070611.tif 000004
【図３】
2006070611.tif 000005
【図４】
2006070611.tif 000006
【図５】
2006070611.tif 000007
【図６】
2006070611.tif 000008